(57)【要約】  【課題】  Ｘ線発生源と検診台の配置形態には関係なく、如何なる配置形態でもＸ線可動絞り装置によるＸ線照射野を自動的に設定して操作性の向上を図ることができるＸ線画像診断装置を提供する。  【解決手段】  Ｘ線発生装置２から被検体１に照射するＸ線の照射領域をＸ線可動絞り装置３で制限し、前記Ｘ線発生装置２と対向配置され前記被検体１の透過Ｘ線をＸ線平面検出器４で検出する。前記Ｘ線発生装置の近傍に設けた前記Ｘ線照射領域と同じ領域に光照射装置５から光を投光し、この投光された光りを前記Ｘ線平面検出器４の前面に配置された光検出装置６で検出し、この検出した信号より前記Ｘ線平面検出器４内の前記被検体１の撮影領域をＸ線絞り範囲算出装置７で算出し、この算出したＸ線絞り範囲に前記Ｘ線可動絞り装置３を制御するＸ線可動絞り制御装置８とを備えた。【選択図】      図１
2006255216.tif 000002
【特許請求の範囲】
【請求項１】
Ｘ線を被検体に照射するＸ線発生手段と、
前記Ｘ線の照射領域を決定するＸ線可動絞り手段と、
前記Ｘ線発生手段と対向配置され前記被検体の透過Ｘ線を検出するＸ線平面検出器と、  前記Ｘ線発生手段の近傍に設けられ前記Ｘ線照射領域と同じ領域に光りを照射する光照射手段とを備えたＸ線画像診断装置であって、前記Ｘ線平面検出器前面に配置され前記光照射手段より照射された光信号を検出する光検出手段と、
この光検出手段によって検出された信号より前記Ｘ線平面検出器内の前記被検体の撮影領域を求め、この撮影領域に前記Ｘ線可動絞り手段によるＸ線絞り範囲を算出するＸ線絞り範囲算出手段と、
このＸ線絞り範囲算出手段によって算出されたＸ線絞り範囲に前記Ｘ線可動絞り手段を制御するＸ線可動絞り制御手段と、
を備えたことを特徴とするＸ線画像診断装置。
【請求項２】
請求項１において、任意タイミングで前記光検出手段による光検出および前記Ｘ線絞り範囲算出手段によるＸ線絞り範囲の算出を行うための信号入力手段を備えたことを特徴とするＸ線画像診断装置。
【請求項３】
請求項１において、前記光検出手段は、可視光検出器を前記Ｘ線平面検出器の視野外周に配置して成ることを特徴とするＸ線画像診断装置。
【請求項４】
請求項１又は２において、前記光検出手段は、前記Ｘ線平面検出器の視野外周の１部に前記可視光検出器を配置して成り、さらに前記Ｘ線平面検出器の検出面上を前記光照射手段より照射された光を検出しながら前記光検出手段を移動させる光検出器移動手段を備えたことを特徴とするＸ線画像診断装置。
【発明の詳細な説明】
【技術分野】
【０００１】
本発明は、X線検出器に平面検出器を用いたX線画像診断装置に係り、特に被検体へのX線照射野を自動的に制限できるX線画像診断装置に関する。
【背景技術】
【０００２】
近年、X線画像を直接デジタル画像として撮影するために、デジタル画像がリアルタイムで得られる半導体式デジタルX線検出器を用いたX線画像診断装置が実用化されている。
この半導体式デジタルX線検出器には種々の方式があるが、その一例に、被検体を透過したX線を光に変換するシンチレータと、このシンチレータから出力される光を電荷に変換するフォトダイオード(例えば、アモルファスシリコン型)とから構成され、フォトダイオードの電荷をスイッチング素子(例えば、TFT(Thin Film Transistor))を経由して読み出すことによってX線画像を得るものがあり、一般には平面検出器(Flat Panel Detector)と呼ばれている。
この平面検出器は、被検体を透過したX線量に応じた電気信号に変換する検出部が多数平面マトリックス状に並んでおり、前記X線量は前記検出部それぞれで電気信号に変換され、電気的画像信号になる。
この電気的画像信号は、さらにアナログ／デジタル変換器でデジタル画像信号に変換されて平面検出器から出力され、画像処理装置に入力後、各種画像処理を行なって、X線画像としてモニタ等に表示され、診断に利用される。
【０００３】
このような構成のX線平面検出器は、上記のリアルタイムでX線画像が得られる特徴の他に、従来のスクリーン・フィルム検出系、輝尽性蛍光体検出器やイメージインテンスファイアを用いた検出器よりも薄型、軽量であり、システムの小型化にも有利なことから、胸部を始めとする撮影専用のX線装置、X線透視撮影台、循環器X線検査システム、マンモ撮影装置などに実用されており、今後、低被曝化のメリットもあることからX線フィルムシステム、輝尽性蛍光体を用いたデジタル画像システム、イメージ・インテンシファイヤとテレビカメラによるシステムに代わるものと思われる。
【０００４】
このような特徴を有するX線平面検出器に代わっても、無効被曝低減の点からもX線照射野を適切な範囲に制限するために、X線可動絞り装置によるX線絞り範囲を最適化することは非常に重要なことである。
特に矩形大視野がポイントのX線平面検出器にとっては、上記イメージ・インテンシファイヤやフィルムに比べて低線量での撮影も可能であるので、被曝低減効果の高いX線絞りによるX線照射野の制限は益々重要となる。
【０００５】
このため、従来は特許文献1に開示されているように、X線発生源としてのX線管の焦点とX線平面検出器との距離を検出し、この検出した距離に基づいて前記X線平面検出器で検出されるX線画像に対応するX線照射領域を被検体を載置する検診台又は前記被検体に投影して、この投影領域に前記X線照射野を合わせる手段を講じていた。
【特許文献１】特開2001−340332号公報
【発明の開示】
【発明が解決しようとする課題】
【０００６】
しかし、上記特許文献1に開示されているX線画像診断装置は、アンダーテーブルチューブタイプのX線画像診断装置において、X線を照射することなしに(透視することなく)、オペレータがX線照射領域を容易に視認できるようにするために成されたものである。
すなわち、撮影直前に、X線平面検出器に取付けられた投光器からの光を被検体や検診台に投影し、オペレータは前記投影領域を確認しながら手動でX線絞り装置の複数枚のX線絞り鉛羽根の位置を調整してX線照射野を前記投光領域に合わせていた。
このため、前記絞り鉛羽根の調整に多くの時間を費やし、操作性向上の妨げとなっており、さらに前記X線絞りの範囲は被検体の形状や撮影部位などに応じて異なるので、どのような条件でも前記X線絞りの開口を自動的に設定できることが望まれていた。
【０００７】
また、上記特許文献1に開示されているX線画像診断装置は、X線管が被検者を載置する検診台の下にあり、X線平面検出器が前記検診台の上にあるアンダーテーブルチューブタイプに限定されているので、X線管が検診台の上にあり、X線検出器が前記検診台の下にあるオーバーテーブルチューブタイプにも使用できるものが望まれていた。
【０００８】
そこで本発明の目的は、上記事情に鑑みてなされたものであり、その目的とするところは、X線発生源と検診台の配置形態には関係なく、如何なる配置形態でもX線可動絞り装置によるX線照射野を自動的に設定して操作性の向上を図ることができるX線画像診断装置を提供することにある。
【課題を解決するための手段】
【０００９】
上記目的の本発明のX線画像診断装置は、以下によって達成される。
(１)X線を被検体に照射するX線発生手段と、前記X線の照射領域を決定するX線可動絞り手段と、前記X線発生手段と対向配置され前記被検体の透過X線を検出するX線平面検出器と、前記X線発生手段の近傍に設けられ前記X線照射領域と同じ領域に光りを照射する光照射手段とを備えたX線画像診断装置であって、前記X線平面検出器前面に配置され前記光照射手段より照射された光信号を検出する光検出手段と、この光検出手段によって検出された信号より前記X線平面検出器内の前記被検体の撮影領域を求め、この撮影領域に前記X線可動絞り手段によるX線絞り範囲を算出するX線絞り範囲算出手段と、このX線絞り範囲算出手段によって算出されたX線絞り範囲に前記X線可動絞り手段を制御するX線可動絞り制御手段とを備えたものである。
前記光検出手段による光検出および前記X線絞り範囲算出手段によるX線絞り範囲の算出を撮影を開始する前の任意のタイミングで行うようにするための信号入力手段を備え、さらに、前記光検出手段は、可視光検出器を前記X線平面検出器の視野外周に複数個配置して構成される。
【００１０】
このように構成された本発明によるX線画像診断装置は、X線可動絞り装置によるX線照射野を自動で設定することができるので、前記X線可動絞り装置のX線絞り鉛羽根の調整時間が短縮され、操作性が向上する。
【００１１】
(２)前記光検出手段は前記X線平面検出器の視野外周の1部に前記可視光検出器を配置して成り、前記X線平面検出器の検出面上を前記光照射手段より照射された光を検出しながら前記光検出手段を移動させる光検出器移動手段を備えた構成とする。
前記X線平面検出器の視野外周の1部とは、例えば4辺からなるX線平面検出器の場合は、前記4辺のうちの少なくとも1辺のことであり、この1辺に前記可視光検出器を配置する構成である。
これによって、可視光検出器をX線平面検出器の視野の全外周に設ける必要はないので、光検出装置の可視光検出器の数を大幅に低減することができ、装置を小型、安価なものにすることが可能となる。
【００１２】
(３)前記光検出手段は、前記X線平面検出器への光りの入力面に対して所定の角度を有する溝を設け、この溝に前記可視光検出器を配置する構成とする。
このように構成することによって、室内照明光など、外部からの光の漏れこみによる誤検出を防止できるので、信頼性が向上する。
【００１３】
(４)前記X線絞り範囲算出手段は、さらに検査部位情報が入力され、この入力された検査部位情報と前記光検出手段の検出信号とに基づいて前記X線可動絞り装置のX線絞り範囲を算出する構成とする。
したがって、X線照射領域の設定に検査部位も考慮されるので、前記撮影領域の設定精度はさらに向上し、被曝低減もより効果的なものとなる。
【００１４】
(５)前記X線絞り範囲算出手段は、前記光照射手段から光の照射が行われているときにのみ前記X線絞り範囲を算出する。
これによって、前記光照射手段からの光以外の光りを検出する機会がなくなり、X線絞り範囲算出の精度が向上する。
【００１５】
(６)上記(1)〜(5)のX線画像診断装置に前記被検体を載置する検診台を設け、この検診台にアクリル素材などの光り透過性をあるものを用いることによって、X線発生手段が検診台の上にあり、X線平面検出器が前記検診台の下にあるオーバーテーブルチューブタイプ及びX線発生手段が検診台の下にあり、X線平面検出器が前記検診台の上にあるアンダーテーブルチューブタイプのいずれのタイプのX線画像診断装置にも適用可能となる。
【発明の効果】
【００１６】
本発明によれば、X線発生手段の近傍に設けた光照射手段からの光りをX線平面検出器前面に配置された光検出手段で検出して被検体へのX線照射野を求め、この照射野になるようにX線可動絞り手段を制御するようにしたので、X線照射野を自動的に設定することができ、これにより操作性の向上を図ることができる。
また、被検体を載置する検診台にアクリル素材などの光り透過性のあるものを用いることによって、オーバーテーブルチューブタイプ及びアンダーテーブルチューブタイプのいずれのタイプのX線画像診断装置にも適用可能となる。
【発明を実施するための最良の形態】
【００１７】
本発明のX線画像診断装置の実施の形態について、以下図面を用いて説明する。
図1は、本発明のX線画像診断装置における第1の実施形態の構成を示す模式図である。
本発明の第1の実施の形態のX線画像診断装置は、被検体1に照射するX線を発生するX線発生装置2と、前記被検体1に照射するX線の照射領域を決定するX線可動絞り装置3と、前記X線発生装置2と対向配置され前記被検体1の透過X線を検出するX線平面検出器4と、前記X線発生装置2の近傍に設置され前記X線照射領域と同じ領域を前記X線平面検出器4上に投影するための光源である光照射装置5と、前記X線平面検出器4の前面に配置され前記光照射装置5より照射された光信号を検出しこれを電気信号に変換する光検出装置6と、該光検出装置6によって検出された電気信号より前記X線平面検出器4上の被検体1の位置を推定し前記X線可動絞り装置3によるX線絞り範囲を算出するX線絞り範囲算出装置7と、該X線絞り範囲算出装置7によって算出されたX線絞り範囲に前記X線可動絞り装置3を制御するX線絞り制御装置8とにより構成される。
【００１８】
前記X線発生装置2は、被検体1に照射するX線を曝射するX線管装置であり、前記X線可動絞り装置3には、被検体1に照射するX線の照射範囲(照射野)を制限するための左右に移動可能なX線絞り鉛羽根31が備えられている。
また、前記光照射装置5には、例えばハロゲンランプを用いた投光標準器が用いられ、これらの前記X線発生装置2と、X線可動絞り装置3と、光照射装置5は1つの筐体に収納されて図示省略の天井吊り支持装置又は床置支持装置等で支持される。
【００１９】
前記X線平面検出器4及び光検出装置6は後述のように配置されて図示省略の支持装置に支持され、前記X線絞り範囲算出装置7と前記X線絞り制御装置8は、図示省略のX線画像診断装置全体を制御する制御装置に内蔵され、この制御装置からの制御信号により前記各構成要素が制御される。
【００２０】
上記図1に示す本発明のX線画像診断装置は、被検体1を載置する検診台を必要としない被検体1とX線平面検出器4とを密着して撮影することが要求される撮影、例えば胸部撮影に適用される例で、被検者1を立位の姿勢に整位するための立位撮影台は省略してある。
【００２１】
次に、図1に示す本発明の第1の実施形態のX線画像診断装置の動作について説明する。
撮影に先立って、オペレータは前記光照射装置5から被検体1に向けて所定の光束を有する光を照射する。
この照射された光は、被検体1の領域は透過しないが、被検体1以外の領域の光をX線平面検出器4の前面に配置されている光検出装置6によって検出し、さらに電気信号に変換されてX線絞り範囲算出装置7に入力される。
【００２２】
図2は、X線平面検出器4の前面に配置されている可視光検出器61を配置して構成した光検出装置6を示す模式図である。
図2の斜線で示された領域はX線平面検出器4の有効視野領域Aを表し、X線平面検出器4の有効視野領域Aの外周に、光検出装置6として複数個の可視光検出器61が配置されている。
前記可視光検出器61は、光りを照射させると抵抗値が減少する光導電効果を利用した半導体センサで、人間の目の波長特性(比視感度)に近似した無極性抵抗素子のため小型であり、本光検出装置6を構成する要件を備えたものである。
【００２３】
このような特徴を有する可視光検出器61を複数用いて光検出装置6を構成し、前記光照射装置5から照射された放射状に広がる光を効率よく検出できるようにするために図3に示す構造としている。
図3において、前記可視光検出器61は、光検出装置6に設けられた溝62の中に、X線平面検出器4の入力面に対してある角度を持たせて配置し、これによって室内照明光など、外部からの光の漏れこみによる誤検出を防止できるようにしている。
【００２４】
図4は、被検体1に向けて光照射装置5より照射された光を可視光検出器61で検出する様子を示す模式図である。
光照射装置5から照射された光を検出した可視光検出器61を白色(□印)で示し、被検体1に遮られて光を検出しなかった可視光検出器61を黒色(■印)で示している。
これら複数個の可視光検出器61による光の検出結果は(2辺の横軸と2辺の縦軸との4辺に配置された可視光検出器の位置情報)、光検出装置6より前記X線絞り範囲算出装置7に送られる。
前記X線絞り範囲算出装置7では、光検出装置6より送られてくる光信号の検出結果に基づいてX線可動絞り装置3のX線絞り鉛羽根31の挿入位置(図4の黒色で示す可視光検出器61の部分を除いた領域)を算出する。
【００２５】
図5は、X線絞り範囲算出手段7で算出したX線可動絞り装置3のX線絞り鉛羽根31の挿入位置を決定する様子を示す模式図である。
図5において、白色(□印)は光検出手段6で光を検出した可視光検出器61の位置を示し、黒色(■印)は光検出手段6で光を検出できなかった可視光検出器61の位置を示す。
前記X線絞り範囲算出手段7は、光を検出した可視光検出器61を全て覆う位置、すなわち、図5のCR及びCLを前記X線絞り鉛羽根31の挿入位置として決定する。
ここで、光が検出された位置に対して、前記X線絞り鉛羽根31のうち、どのX線絞り鉛羽根を挿入するかについては、予め検査対象部位に応じて定められているものとする。
【００２６】
前記X線絞り制御手段8は、前記X線絞り範囲算出手段7によって算出された位置へX線絞り鉛羽根31を挿入制御する。
これらの制御動作は、X線発生装置2の近傍に設置されている光照射装置5からX線平面検出器4に向けて光が照射されている間に行われるので、オペレータはX線絞り鉛羽根31が最適位置へ挿入制御されているかを目視で確認することも可能である。
【００２７】
さらに、X線絞り範囲算出手段7は、予め図示省略の操作器でオペレータによって設定された検査部位情報と光検出手段6によって検出された信号とを用いてX線絞り鉛羽根31の挿入位置を算出することにより、X線照射野をより適切なものに制限することができる。
【００２８】
図6は、前記検査部位情報と光検出手段6によって検出された信号とを用いてX線絞り鉛羽根31の挿入位置を決定する様子を示す模式図である。
図6において、検査部位として胸部正面撮影を想定し、光検出装置6で光が検出された可視光検出器61の位置を白色(□印)で示し、光が検出されなかった可視光検出器61の位置を黒色(■印)で示している。
【００２９】
前記X線絞り範囲算出手段7は、検査対象部位が胸部正面撮影である場合、光を検出できなかった可視光検出器61のうち、被検者1の腕に相当する除外対象可視光検出器63をX線絞り範囲算出時に対象外とし、それ以外の光を検出しなかった可視光検出器61の位置より、X線絞り鉛羽根31の挿入位置CL、及びCRを算出する。
なお、検査対象部位に応じて除外する可視光検出器63の位置は、予め図示省略の操作器でオペレータによって設定されているものとする。
【００３０】
このように構成することによって、X線可動絞り装置によるX線照射野は自動で設定することができ、操作性は一段と向上するものとなる。
【００３１】
図7は、本発明のX線画像診断装置における第2の実施形態の構成を示す模式図である。
この図7において、前記図1の第1の実施形態と同様な機能を有する構成要素については同一符合で記し、その説明は省略する。
図7に示す本発明の第2の実施形態のX線画像診断装置は、図1に示した第1の実施形態のX線画像診断装置における複数の可視光検出器61を組み合わせて4辺から成る光検出装置6を1辺から成る光検出装置6’とし、この光検出装置6’をX線平面検出器4と直交する方向に移動する光検出器移動装置9を付加したものである。
【００３２】
このような構成の図7に示すX線画像診断装置において、撮影に先立って、オペレータはX線発生装置2の近傍に設置されている光照射装置5から被検体1に向かって光を照射する。
前記光検出器移動装置9は、前記光照射装置5から照射された光を光検出装置6’で光の検出が開始されると、前記光検出装置6’を前記X線平面検出器4と直交する方向に該X線平面検出器4の入射面上を移動させて前記光照射装置5から照射された光を検出する。
【００３３】
図8は、光検出器移動装置9による光検出装置6’の移動の様子を示す模式図である。
光検出器移動装置9は、前記光検出装置6’をモータ等の駆動力によって図示の方向に移動させる機構を備え(図示省略)、光検出装置6’による光の検出を行いながらX線平面検出器4上を図8の上部から下部へと移動して光りの検出を行い、この光の検出が終了すると、前記光検出装置6’を前記X線平面検出器4の視野外に退避させる。
【００３４】
図9は、光検出器移動装置9による光検出装置6’の移動制御後の光りの検出結果より、X線絞り範囲算出手段7にてX線絞り鉛羽根31の挿入位置を算出する様子を示す模式図である。
光検出装置6’は、光検出器移動装置9による移動中、一定時間間隔にて光の検出を行い、図9の白色の可視光検出器(□印)は光が検出された検出位置、黒色の可視光検出器(■印)は検出されなかった位置を示している。
これら検出結果と、予め設定されている検査対象部位によってX線絞り鉛羽根31の挿入位置CR，CL，CTが決定される。
X線絞り制御装置8は、X線絞り範囲算出装置7によって算出された前記位置へX線絞り鉛羽根31を挿入制御する。
【００３５】
このように構成することによって、可視光検出器61をX線平面検出4の全周に亘って設ける必要はないので、光検出装置6’の可視光検出器の数は大幅に低減し、小型、安価なもにすることができる。
【００３６】
図10は、本発明のX線画像診断装置における第3の実施形態の構成を示す模式図である。
この図10において、前記図1の第1の実施形態及び図7の第2の実施形態と同様な機能を有する構成要素については同一符合で記し、その説明は省略する。
図10に示す本発明の第3の実施形態のX線画像診断装置は、図7に示した第2の実施形態のX線画像診断装置に、オペレータが任意タイミングで前記光検出装置6’による光検出の開始及びX線絞り範囲算出装置7によるX線絞り鉛羽根31の挿入位置の算出を開始するためのX線絞り範囲算出開始信号入力装置10を付加したものである。
【００３７】
この図10に示す本発明の第3の実施形態のX線画像診断装置は次のように動作する。
図10において、X線絞り制御装置8によるX線可動絞り装置3の制御中に、被検者1の動き等によって前記X線可動絞り装置3の各鉛羽根が最適位置へ挿入制御されないとオペレータが判断したとき、オペレータはX線絞り算出範囲開始信号入力装置10から光検出装置6’に光検出開始信号を、X線絞り範囲算出装置7にX線絞り範囲の算出開始信号を入力する。
【００３８】
光検出手段6’は、前記光検出開始信号が入力されると光照射手段5より照射された光を再び検出し、この検出結果はX線絞り範囲算出装置7に送られる。
X線絞り範囲算出装置7は、光信号検出結果よりX線可動絞り装置3のX線絞り鉛羽根31の挿入位置を再度算出し、この算出結果をX線絞り制御装置8に送る。
X線絞り制御装置8は、X線絞り範囲算出装置7よりX線絞り鉛羽根31の挿入位置が再度送られてきたことを検知すると、現在制御中のX線絞り鉛羽根31の挿入制御動作を中断し、改めてX線絞り範囲算出装置7より送られてきたX線絞り鉛羽根31の挿入位置へX線可動絞り装置3のX線絞りの各鉛羽根31を挿入制御する。
これによって、X線絞り鉛羽根31の制御中の被検者1の動きに対して、オペレータの判断により常に最適位置へX線絞り鉛羽根31を挿入することが可能となる。
【００３９】
上記図1、図7及び図10に示した本発明のX線画像診断装置は、被検体1を載置する検診台を必要としない、例えば胸部撮影に適用する例について説明したが、本発明はこれに限定するものではなく、検診台にアクリル素材などの光り透過性をあるものを用いることによって、X線発生装置が被検体を載置する検診台の上にあり、X線平面検出器が前記検診台の下にあるオーバーテーブルチューブタイプ及びX線発生装置が検診台の下にあり、X線平面検出器が前記検診台の上にあるアンダーテーブルチューブタイプのいずれのタイプのX線画像診断装置にも適用可能となる。
【図面の簡単な説明】
【００４０】
【図１】本発明のX線画像診断装置における第1の実施形態の構成を示す模式図。
【図２】X線平面検出器の前面に配置されている可視光検出器を配置して構成した光検出装置を示す模式図。
【図３】光検出装置を構成する可視光検出器の配置の様子を示す模式図。
【図４】被検体に向けて光照射装置より照射された光を可視光検出器で検出する様子を示す模式図。
【図５】X線絞り範囲算出手段で算出したX線可動絞り装置のX線絞り鉛羽根の挿入位置を決定する様子を示す模式図。
【図６】検査部位情報と光検出装置で検出された信号とを用いてX線絞り鉛羽根の挿入位置を決定する様子を示す模式図。
【図７】本発明のX線画像診断装置における第2の実施形態の構成を示す模式図。
【図８】光検出器移動装置による光検出装置の移動の様子を示す模式図。
【図９】第2の実施形態でX線絞り範囲算出手段にてX線絞り鉛羽根の挿入位置を算出する様子を示す模式図。
【図１０】本発明のX線画像診断装置における第3の実施形態の構成を示す模式図。
【符号の説明】
【００４１】
１  被検体、２  X線発生装置、３  X線可動絞り装置、４  X線平面検出器、５  光照射装置、６，６’  光検出装置、７  X線絞り範囲算出装置、８  X線絞り制御装置、９  光検出器移動装置、１０  X線絞り範囲算出開始信号入力装置、３１  鉛羽根、６１  可視光検出器、６２  溝、６３  除外対象可視光検出器
【図１】
2006255216.tif 000003
【図２】
2006255216.tif 000004
【図３】
2006255216.tif 000005
【図４】
2006255216.tif 000006
【図５】
2006255216.tif 000007
【図６】
2006255216.tif 000008
【図７】
2006255216.tif 000009
【図８】
2006255216.tif 000010
【図９】
2006255216.tif 000011
【図１０】
2006255216.tif 000012